(57)【要約】【課題】  機器が操作されたときに当該機器の消費電力を表示する。【解決手段】機器３の消費電力情報を取得する取得部１１と、機器３の操作を検知する検知部１２と、機器と所属情報を対応づける対応部１３と、検知部１２が、機器３の操作を検知したとき、対応部１３によって対応づけられた所属情報と、取得部１１によって取得した機器３の消費電力情報とを表示する表示部１４と、を有することを特徴とする通信装置を提案する。【選択図】図１
2017011779.tif 000002
【特許請求の範囲】
【請求項１】
機器の消費電力情報を取得する取得部と、
前記機器の操作を検知する検知部と、
前記機器と所属情報を対応づける対応部と、
前記検知部が、前記機器の操作を検知したとき、前記対応部によって対応づけられた所属情報と、前記取得部によって取得した前記機器の消費電力情報とを表示する表示部と、
を有することを特徴とする通信装置。
【請求項２】
前記取得部は、
前記検知部が検知した機器および、前記対応部によって前記機器と同じ所属情報が対応づけられている機器の消費電力情報を取得する
ことを特徴とする請求項１に記載の通信装置。
【請求項３】
前記取得部は、
前記検知部が検知した機器および、前記対応部によって前記機器と同じ所属情報が対応づけられている機器の消費電力情報を取得する頻度を上げる
ことを特徴とする請求項１または請求項２に記載の通信装置。
【請求項４】
前記表示部は、
前記検知部が検知した機器の所属の全体消費電力情報を取得できる場合、前記所属の全体消費電力情報を表示し、前記所属の全体消費電力情報が取得できない場合、前記機器に対応づけられた所属情報と同じ所属情報が対応付けられている機器の消費電力の合計値を、前記所属の全体消費電力情報として表示する
ことを特徴とする請求項１から請求項４のいずれか一に記載の通信装置。
【請求項５】
機器が操作されたことを検知する手段と、前記機器が操作されると前記機器の消費電力情報を取得する手段と、前記機器の消費電力情報と前記機器に対応付けられた所属情報を表示する手段を特徴とする通信方法。
【請求項６】
機器の消費電力情報を取得する取得部と、
前記機器の操作を検知する検知部と、
前記機器と所属情報を対応づける対応部と、
前記検知部が、前記機器の操作を検知したとき、前記対応部によって対応づけられた所属情報と、前記取得部によって取得した前記機器の消費電力情報とを表示する表示部と、
を有することを特徴とする通信システム。
【発明の詳細な説明】
【技術分野】
【０００１】
本発明の実施形態は通信装置、通信方法、通信システムに関する。
【背景技術】
【０００２】
特許文献１では、表示装置が置かれている部屋ごとに、消費電力を表示する技術が開示されている。
【先行技術文献】
【特許文献】
【０００３】
【特許文献１】特開２０１０−２８８３８８
【発明の概要】
【発明が解決しようとする課題】
【０００４】
しかしながら、特許文献１のシステムでは、表示装置に表示したい機器や部屋を予め設定する必要がある。また、たとえば事前に所定の部屋の消費電力を表示するよう設定した場合、ユーザが表示装置を携帯して他の部屋に移動したときに、その部屋の電力情報を得ることができない。
【課題を解決するための手段】
【０００５】
本実施形態の通信装置は、機器の消費電力情報を取得する取得部と、前記機器の操作を検知する検知部と、前記機器と所属情報を対応づける対応部と、前記検知部が、前記機器の操作を検知したとき、前記対応部によって対応づけられた所属情報と、前記取得部によって取得した前記機器の消費電力情報とを表示する表示部と、を有することを特徴とする。
【発明の効果】
【０００６】
本実施形態によれば、機器が操作されたときに当該機器の消費電力を表示することができる。
【図面の簡単な説明】
【０００７】
【図１】第１の実施形態にかかる通信システムの構成図
【図２】第１の実施形態にかかる対応テーブルの例
【図３】第１の実施形態にかかる表示の例
【図４】第１の実施形態にかかる表示の例
【図５】第１の実施形態にかかる動作シーケンス図
【図６】第１の実施形態の通信システムの構成図
【図７】変形例にかかる通信システムの構成図
【図８】変形例にかかる対応テーブルの例
【図９】変形例にかかる対応テーブルの例
【図１０】変形例にかかる表示の例
【図１１】変形例にかかる表示の例
【発明を実施するための形態】
【０００８】
本実施形態の通信装置は、機器の消費電力情報を取得する取得部と、前記機器の操作を検知する検知部と、前記機器と所属情報を対応づける対応部と、前記検知部が、前記機器の操作を検知したとき、前記対応部によって対応づけられた所属情報と、前記取得部によって取得した前記機器の消費電力情報とを表示する表示部と、を有することを特徴とする。
【０００９】
以下、本発明の実施の形態について、図面を参照しながら説明する。
【００１０】
（第１の実施形態）
【００１１】
図１は、本実施形態の通信装置１を含む通信システムＳ１の一例を示すブロック図である。本実施形態では、通信装置１が、住宅内の各部屋に設置された機器３とするリビング内のエアコン３Ａ、テレビ３Ａ、子供部屋内のエアコン３Ｂ、テレビ３Ｂと接続され、当該機器３が設置された部屋の情報を所属情報とした場合の例を用いて説明する。
【００１２】
通信装置１は、機器３の消費電力情報を取得する取得部１２と、機器３の操作を検知する検知部１２と、機器３とその所属情報を対応づける対応部１３と、検知部１２が、機器３の操作を検知したとき、対応部１３によって対応づけられた所属情報と、取得部１１によって取得した機器３の消費電力情報とを表示する表示部１４と、を有する。
【００１３】
通信装置１は、たとえばパソコンやタブレット、スマートフォンなどといった通信機能、表示機能等を有する端末である。機器３は、ネットワーク対応の家電機器であって、たとえばECHONET/ECHONET Liteの通信規格を用いて、制御命令を受信して実行する機能や、自身の状態を通知する機能を有する。
【００１４】
通信装置１は、通信部１０を介して宅内の少なくとも一つの機器３と、無線または有線の任意の通信手段によって接続される。
【００１５】
取得部１１は、少なくとも一つの機器３と通信し、機器３の電力情報を取得する。機器３の電力情報は、たとえば機器３が自身の消費電力の瞬時値や積算値を計測する機能を有し、計測結果を送信する。なお、取得部１１は、後述する検知部１２からの通知を受けてから機器３の消費電力を取得してもよいし、所定の間隔で各機器３と通信することによって瞬時消費電力量や積算消費電力量をデータベースなどの記憶領域に保存してもよい。ここで、電力情報の取得間隔が短いと、集まるデータは詳細となるが、保存に必要なデータベースが巨大となりコストがかかったり、あるいは、通信処理に必要な電力がかかったりしてしまう。このため、検知部１２からの通知を受けた場合のみ該機器３に対する取得間隔を所定時間小さくするように、動的に調整してもよい。具体的には、例えば、ECHONET Liteに対応する機器３を用いて、ECHONET Liteの消費電力情報の提供機能により実現することができる。
【００１６】
検知部１２は、各機器３と通信し、機器３の本体スイッチや付属リモコンによりユーザがその機器３を操作したことを検知する。具体的には、例えば、ECHONET Liteに対応する機器３を用いて、ECHONET Liteの状態変化通知機能により実現することができる。
【００１７】
対応部１３は、図２のような機器３およびその所属情報の対応テーブルから、機器３または所属情報にもとづいて対応する情報を参照する。所属情報とは、たとえば機器３が設置されている部屋の名称などであって、ユーザによって事前に設定される。図２のような対応テーブルを構築するために必要とする機器３の識別情報は、例えば、IPアドレス、ハードウェアアドレス、ECHONET Liteで取得可能な識別情報、ECHONET Liteで取得可能なメーカコードと型名、またはこれらの組合せなどであってもよい。本実施形態では、図２のように、便宜的に「ＡＣ３Ａ」「ＴＶ３Ａ」「ＡＣ３Ｂ」「ＴＶ３Ｂ」を識別情報として説明する。なお、対応テーブルは対応部１３が保持しても、通信装置１の任意の構成が保持しても、通信装置１の外部からネットワークを介して接続される装置に保持されていてもよい。
【００１８】
表示部１４は、ユーザの操作にもとづき、前記取得部１１と対応部１３からの情報を用いて、所定の部屋に対応付けられた機器３と、当該機器３が設置されている部屋情報、さらには当該部屋の全体消費電力量を表示する。具体的には、取得部１１が取得する電力情報と、対応部１３によって対応づけられる所属情報によって、各機器３の消費電力量、または、前記機器が設置されている部屋と対応づけられた各機器３の消費電力を合計した当該部屋の全体消費電力量、または、各部屋の合計消費電力を足し合わせた住宅全体の消費電力を表示部１４に表示することができる。なお、上述の計算処理は通信システムＳ１の任意の構成が行ってよい。
【００１９】
図３に、表示部１４の表示例を示す。たとえば表示部１４は、所属情報「子供部屋」の全体消費電力量が９００Ｗであることを示すとともに、「子供部屋」に対応付けられる機器３とするエアコンの消費電力量が６００Ｗ、機器３とするテレビの消費電力量が３００Ｗであることを示す。また、図４のように家全体の消費電力量も合わせて示してもよい。家全体の消費電力量は、各部屋の消費電力を合計して算出する。なお、操作された機器３と、当該機器３が設置されている部屋を強調して表示することにより、消費電力量が変化した箇所の見える化の工夫を施しても良い。
【００２０】
もちろん、操作された機器３の消費電力量のみを表示してもよい。さらに、前述のように、各機器３の瞬時消費電力や積算消費電力量を、データベースなどの記憶領域に格納されていれば、過去の消費電力の推移も含めた「今操作された機器３の消費電力のグラフ」などを表示可能としてもよい。
【００２１】
本実施形態に係る通信装置１の動作の一例を、図５に示す動作シーケンスを用いて説明する。
【００２２】
ユーザは、予め、機器３とその所属情報、すなわち設置されている部屋との対応テーブルを対応部１３に設定しておく。ここでは、図２に示すように、リビングに設置されているエアコン３Ａとテレビ３Ａを所属情報「リビング」に、子供部屋に設置されているエアコン３Ｂとテレビ３Ｂを所属情報「子供部屋」に関連付けて設定したとする。
【００２３】
まず、表示部１４を備えた通信装置１を持ったユーザが、子供部屋に入り、エアコン３Ｂ付属のリモコンにてエアコン３Ｂを操作する（Ｓ１）。この操作に伴い、エアコン３Ｂは状態変化通知を通信装置１に送信する（Ｓ２）。この状態変化通知には、機器３の識別情報、本実施形態では「ＡＣ３Ｂ」を含む。
【００２４】
通信装置１の図示しない通信部１０が前記状態変化通知を受信すると、検知部１２が、エアコン３Ｂの状態変化通知を検知し（Ｓ３）、当該状態変化通知に含まれる機器３の識別情報を対応部１３に受け渡す（Ｓ４）。対応部１３は、事前に設定された対応テーブルから、識別情報「ＡＣ３Ｂ」に対応づけられた所属情報を読み出し（Ｓ５）、エアコン３Ｂが「子供部屋」にあることを認識する。さらに、対応部１３は、「子供部屋」に関連付けられた識別情報「ＡＣ３Ｂ」「ＴＶ３Ｂ」を対応テーブルから読み出して（Ｓ６）、取得部１１に受け渡す（Ｓ７）。
【００２５】
取得部１１は、これを受け、エアコン３Ｂおよびテレビ３Ｂと通信してそれぞれの消費電力量を得る（Ｓ８）。具体的には、消費電力量の問合せ命令を含む信号を識別情報「ＡＣ３Ｂ」および「ＴＶ３Ｂ」をもつ機器３あてに送信し、応答を受信することで実現できる。
【００２６】
表示部１４は、取得部１１が取得したエアコン３Ｂの消費電力量、テレビ３Ｂの消費電力量、および、子供部屋の消費電力量としてこれらを足した値を表示する（Ｓ９）。なお、Ｓ９における表示方法は、たとえばプッシュ方式で能動的に表示させてもよいし、ユーザの指示によって情報を更新してもよい。
【００２７】
なお、ユーザは、操作されたエアコン３Ｂの消費電力量を即時に知り得ることが好ましいが、その時操作されていないテレビ３Ｂなど他の機器３の消費電力量は、前回テレビ３Ｂが操作されたときの消費電力量情報を知り得れば足りる。ここで、エアコン３Ｂが操作されたとき、テレビ３Ｂの消費電力量を問合せず、前回取得したテレビ３Ｂの消費電力量値を任意の構成に格納し、読み出すことで通信量を削減する工夫も考えられる。
【００２８】
なお、本発明は、上記した実施形態に限定されるものではなく、その要旨の範囲内での変形が可能である。たとえば、第１の実施形態で説明した対応部１３、表示部１４は、通信装置１と物理的に別の装置に分かれていてもよい。
【００２９】
具体的には、図６に示す通信システムＳ２のように、機器３と有線または無線の通信手段を用いて通信可能である、通信装置１とする宅内サーバ装置と、機器３と直接の通信機能は持たないが、通信装置１と通信を行い画面情報だけを受け取って表示する表示部１４を有するパソコンやタブレット、スマートフォンなどといった端末２と、によって構成されていてもよい。この場合、通信装置１は、図５に示したＳ９の処理を、宅内ネットワークに接続されている端末２、またはサーバ４を介して登録されている端末２、あるいは、任意の方法を用いて操作された機器３と同じ部屋に所在する端末２を判別して当該端末２に向けて、表示する画面情報を送信してもよい。端末２の所在位置の判別は、たとえばビーコンや、機器３との通信によって実現することができる。また、対応テーブルは宅外のサーバ４に格納し、対応部１３が都度参照するように構成してもよい。
【００３０】
（実施形態の効果）
【００３１】
本実施形態によれば、表示部を備えた通信装置を持ったユーザが、所定の部屋に設置されている機器を操作した場合、ユーザが操作した機器の消費電力量、当該部屋に設置されている他の機器の消費電力量、および、当該部屋の全体消費電力量などを、特段の操作をすることなく表示部に表示させることができる。
（変形例）
【００３２】
機器３が消費電力提供機能を備えない場合、取得部１１は機器３ではなく、別途設置される消費電力測定装置から電力情報を取得してもよい。
【００３３】
例えば図７に示す通信システムＳ３のように、宅内に設置される分電盤において、分岐回路が機器３に紐付けられている場合、計測装置５を用いて各機器３の消費電力量として分岐回路の消費電力量を計測し、計測結果を取得部１１が計測装置５から取得してもよい。この場合、各分岐ブレーカと機器３との対応は、ユーザまたは施工者によって図８のような対応テーブルを事前に生成し、通信装置１、計測装置５、あるいは図６のシステムＳ２の構成である場合、サーバ４に保持させる。
【００３４】
また、例えば、分岐回路が部屋の情報に紐付けられている場合、取得部１１は、当該所定の部屋の合計消費電力量を直接取得できる。あるいは、複数の分岐回路が一つの部屋の情報に紐づけられている場合でも、合算することで同様に当該所定の部屋の合計消費電力量を取得できる。
【００３５】
図９のように、エアコン用の分岐回路が独立して設置される場合、その消費電力量は一般家電と分離して計測される。このとき、子供部屋の合計消費電力量を取得したい場合、通信装置１は分岐識別情報「１」「２」あてに消費電力量を問合せ、足し合わせた結果を部屋全体の合計消費電力量として図１０のように表示部１４に表示させる。また、子供部屋のテレビ３Ｂと通信可能であり、テレビ３Ｂの消費電力量を取得できる場合、分岐識別情報「２」からテレビ３Ｂの消費電力量を差し引くことで、その他通信できない機器３の消費電力量を算出し「その他」の消費電力量として表示部１４に表示させることができる。
【００３６】
さらに、システムＳ３は、図２および図９の対応テーブルを適宜組み合わせて消費電力量の計算を行っても良い。たとえば、対応部１４によって図２の対応テーブルを参照し算出した子供部屋に関連付けられた機器３の消費電力量の合計が、図９の対応テーブルで子供部屋に関連付けられた分岐回路の消費電力量の合計値に満たない、すなわち直接取得した子供部屋の消費電力量値に満たない場合、不足分を「その他」などとして表示することができる。
【００３７】
なお、計測装置５が主幹ブレーカの消費電力量を計測する場合、または通信装置１がスマートメータから電力情報を取得できる場合、家全体の消費電力量を直接取得できるため、同様の手段で図１１に示すように表示が可能である。
【００３８】
たとえば子供部屋のエアコン３Ｂが操作されたとき、表示部１４は、所属情報「子供部屋」の全体消費電力量が１０００Ｗであることを示すとともに、「子供部屋」に対応付けられる機器３とするエアコンの消費電力量が６００Ｗ、機器３とするテレビの消費電力量が３００Ｗであることを示す。また、「子供部屋」に関連付けられた全ての機器３の消費電力量を合計しても、計測装置５から取得した「子供部屋」の全体消費電力量に達しない場合、差分を算出し、子供部屋の「その他」の消費電力量などとして表示する。この場合、「その他」の消費電力量は、子供部屋の全体消費電力量からエアコン、テレビの消費電力量を差し引き、１００Ｗであることを表示してもよい。さらに、所属情報「リビング」の全体消費電力量および「リビング」に関連付けられた機器３の消費電力量を、前回更新した値が格納される通信装置１の図示しない格納部から読み出し、「子供部屋」の全体消費電力量と足し合わせた合計値２６００Ｗと、主幹ブレーカで計測した家全体の消費電力量２７００Ｗと、を比較し、差分の１００Ｗを「その他」消費電力量として表示することができる。
（変形例の効果）
【００３９】
本実施形態によれば、表示部を備えた通信装置を持ったユーザが、所定の部屋に設置されている機器を操作した場合、ユーザが操作した機器の消費電力量、当該部屋に設置されている他の機器の消費電力量、および、当該部屋の全体消費電力量などを、特段の操作をすることなく表示部に表示させることができる。
【００４０】
また、計測装置を用いて主幹または分岐回路の消費電力を計測するため、通信機能を有しない機器の消費電力情報も取得することができ、より正確な部屋全体または家全体の消費電力情報を表示することができる。
【００４１】
なお、本実施形態では、住宅内の各部屋ごとの電力情報を表示する例を説明したが、実施形態はこれに限らず、たとえばオフィス、工場、学校など、任意の施設に適用してもよい。もちろん、機器３は家電機器に限らず、これら施設に配置される任意の電気機器であってよい。
【００４２】
以上、本発明を実施の形態を用いて説明したが、本発明の技術的範囲は上記実施の形態に記載の範囲には限定されない。上記実施の形態に多様な変更または改良を加えることが可能であることが当業者には明らかである。また、そのような変更または改良を加えた形態も本発明の技術的範囲に含まれ得ることが、特許請求の範囲の記載から明らかである。
【図１】
2017011779.tif 000003
【図２】
2017011779.tif 000004
【図３】
2017011779.tif 000005
【図４】
2017011779.tif 000006
【図５】
2017011779.tif 000007
【図６】
2017011779.tif 000008
【図７】
2017011779.tif 000009
【図８】
2017011779.tif 000010
【図９】
2017011779.tif 000011
【図１０】
2017011779.tif 000012
【図１１】
2017011779.tif 000013